(57)【要約】【課題】累積時間を短縮しても雑音の影響を抑制可能な受信装置および受信方法を提供する。【解決手段】実施形態によれば、受信装置は、ＡＤコンバータと、周波数誤差検出部と、周波数制御部と、比較部と、セレクタと、復調部と、を備える。比較部は、第２のデジタル受信信号における第１の位相のサンプリング点の値を所定数累積した第１の累積値と、第２のデジタル受信信号における周波数誤差に応じた第２の位相のサンプリング点の値を累積した第２の累積値と、を比較する。セレクタは、比較の結果、前記第１の累積値が大きい場合は第１の位相のサンプリング点を選択し、第２の累積値が大きい場合は第２の位相のサンプリング点を選択する。【選択図】図１
2013198057.tif 000002
【特許請求の範囲】
【請求項１】
アナログ受信信号を、このアナログ受信信号の周波数より高い第１の周波数でサンプリングし、複数の位相のサンプリング点から構成される第１のデジタル受信信号に変換するＡＤコンバータと、
前記第１の周波数と予め定めた第２の周波数との周波数誤差を検出する周波数誤差検出部と、
前記周波数誤差が小さくなるよう前記第１のデジタル受信信号の各サンプリング点を変換し、第２のデジタル受信信号を生成する周波数制御部と、
前記第２のデジタル受信信号における第１の位相のサンプリング点の値を所定数累積した第１の累積値と、前記第２のデジタル受信信号における前記周波数誤差に応じた第２の位相のサンプリング点の値を累積した第２の累積値と、を比較する比較部と、
比較の結果、前記第１の累積値が大きい場合は前記第１の位相のサンプリング点を選択し、前記第２の累積値が大きい場合は前記第２の位相のサンプリング点を選択するセレクタと、
前記選択されたサンプリング点を用いて復調処理を行う復調部と、
前記第１の周波数の基準信号を生成する基準信号生成部を備え、
前記第１の位相は、直前に前記復調処理に用いられたサンプリング点の位相であり、
前記第２の位相は、
前記第２の周波数より前記第１の周波数が高い場合は、前記第１の位相より遅れた位相であり、
前記第２の周波数より前記第１の周波数が低い場合は、前記第１の位相より進んだ位相であり、
前記第２の周波数は、前記アナログ受信信号を送信する送信装置内で生成された基準信号の周波数であり、
前記比較部は、前記第２の累積値が大きい場合、前記第２の位相を新たな前記第１の位相に更新することを特徴とする受信装置。
【請求項２】
アナログ受信信号を、このアナログ受信信号の周波数より高い第１の周波数でサンプリングし、複数の位相のサンプリング点から構成される第１のデジタル受信信号に変換するＡＤコンバータと、
前記第１の周波数と予め定めた第２の周波数との周波数誤差を検出する周波数誤差検出部と、
前記周波数誤差が小さくなるよう前記第１のデジタル受信信号の各サンプリング点を変換し、第２のデジタル受信信号を生成する周波数制御部と、
前記第２のデジタル受信信号における第１の位相のサンプリング点の値を所定数累積した第１の累積値と、前記第２のデジタル受信信号における前記周波数誤差に応じた第２の位相のサンプリング点の値を累積した第２の累積値と、を比較する比較部と、
比較の結果、前記第１の累積値が大きい場合は前記第１の位相のサンプリング点を選択し、前記第２の累積値が大きい場合は前記第２の位相のサンプリング点を選択するセレクタと、
前記選択されたサンプリング点を用いて復調処理を行う復調部と、を備えることを特徴とする受信装置。
【請求項３】
前記第１の位相は、直前に前記復調処理に用いられたサンプリング点の位相であることを特徴とする請求項２に記載の受信装置。
【請求項４】
前記第２の位相は、
前記第２の周波数より前記第１の周波数が高い場合は、前記第１の位相より遅れた位相であり、
前記第２の周波数より前記第１の周波数が低い場合は、前記第１の位相より進んだ位相であることを特徴とする請求項２または３に記載の受信装置。
【請求項５】
前記第１の周波数の基準信号を生成する基準信号生成部を備え、
前記第２の周波数は、前記アナログ受信信号を送信する送信装置内で生成された基準信号の周波数であることを特徴とする請求項２乃至４のいずれかに記載の受信装置。
【請求項６】
前記比較部は、前記第２の累積値が大きい場合、前記第２の位相を新たな前記第１の位相に更新することを特徴とする請求項２乃至５のいずれかに記載の復調装置。
【請求項７】
アナログ受信信号を、このアナログ受信信号の周波数より高い第１の周波数でサンプリングし、複数の位相のサンプリング点から構成される第１のデジタル受信信号に変換するステップと、
前記第１の周波数と予め定めた第２の周波数との周波数誤差を検出するステップと、
前記周波数誤差が小さくなるよう前記第１のデジタル受信信号の各サンプリング点を変換し、第２のデジタル受信信号を生成するステップと、
前記第２のデジタル受信信号における第１の位相のサンプリング点の値を所定数累積した第１の累積値と、前記第２のデジタル受信信号における前記周波数誤差に応じた第２の位相のサンプリング点の値を累積した第２の累積値と、を比較するステップと、
比較の結果、前記第１の累積値が大きい場合は前記第１の位相のサンプリング点を選択し、前記第２の累積値が大きい場合は前記第２の位相のサンプリング点を選択するステップと、
前記選択されたサンプリング点を用いて復調処理を行うステップと、を備えることを特徴とする受信方法。
【発明の詳細な説明】
【技術分野】
【０００１】
本発明の実施形態は、受信装置および受信方法に関する。
【背景技術】
【０００２】
無線通信において、送信装置側の基準周波数と受信装置側の基準周波数とが必ずしも一致しているとは限らない。そのため、受信装置側では周波数誤差を補正する必要がある。コスト削減のためには、周波数誤差をデジタル回路で補正するのが望ましい。
【０００３】
デジタル回路で補正を行う際、受信信号に重畳された雑音の影響を抑制するためには、長時間に渡って信号値を累積する必要がある。一方、周波数誤差が大きい場合、できるだけ高い頻度で補正する必要がある。
【０００４】
しかしながら、雑音対策で長時間累積を行うと、あまり頻繁に補正をできないという問題がある。
【先行技術文献】
【特許文献】
【０００５】
【特許文献１】特開２００４−３２８４６２号公報
【発明の概要】
【発明が解決しようとする課題】
【０００６】
累積時間を短縮しても雑音の影響を抑制可能な受信装置および受信方法を提供する。
【課題を解決するための手段】
【０００７】
実施形態によれば、受信装置は、ＡＤコンバータと、周波数誤差検出部と、周波数制御部と、比較部と、セレクタと、復調部と、を備える。前記ＡＤコンバータは、アナログ受信信号を、このアナログ受信信号の周波数より高い第１の周波数でサンプリングし、複数の位相のサンプリング点から構成される第１のデジタル受信信号に変換する。前記周波数誤差検出部は、前記第１の周波数と予め定めた第２の周波数との周波数誤差を検出する。前記周波数制御部は、前記周波数誤差が小さくなるよう前記第１のデジタル受信信号の各サンプリング点を変換し、第２のデジタル受信信号を生成する。前記比較部は、前記第２のデジタル受信信号における第１の位相のサンプリング点の値を所定数累積した第１の累積値と、前記第２のデジタル受信信号における前記周波数誤差に応じた第２の位相のサンプリング点の値を累積した第２の累積値と、を比較する。前記セレクタは、比較の結果、前記第１の累積値が大きい場合は前記第１の位相のサンプリング点を選択し、前記第２の累積値が大きい場合は前記第２の位相のサンプリング点を選択する。前記復調部は、前記選択されたサンプリング点を用いて復調処理を行う。
【図面の簡単な説明】
【０００８】
【図１】一実施形態に係る受信装置の概略構成を示すブロック図。
【図２】図１のＡＤＣ５の動作を説明する図。
【図３】図１の周波数誤差検出部６の動作を説明する図。
【図４】図１のＤＬＬ８の内部構成の一例を示す図。
【図５】図１のＤＬＬ８の動作を説明する図。
【図６】図１のＤＬＬ８の処理動作の一例を示すフローチャート。
【発明を実施するための形態】
【０００９】
以下、実施形態について、図面を参照しながら具体的に説明する。
【００１０】
図１は、一実施形態に係る受信装置の概略構成を示すブロック図である。この受信装置は、基地局の送信装置から送信されるＲＦ（Radio Frequency）信号をアンテナ１０で受信して、復調するものである。受信装置は、発振器１と、ＲＦ部用のＰＬＬ（Phase Locked Loop）２と、デジタル部用のＰＬＬ３と、周波数変換部４と、ＡＤＣ（Analog to Digital Converter）５と、周波数誤差検出部６と、位相回転部（周波数制御部）７と、ＤＬＬ（Digital Locked Loop）８と、復調部９とを備えている。
【００１１】
発振器１は、例えば水晶発振器（ＸＯ）または温度補償型水晶発振器（ＴＣＸＯ）を用いて、周波数が一定の発振信号を生成する。ＰＬＬ２は、発振信号に基づいて、周波数変換部４に供給される基準信号をそれぞれ生成する。ＰＬＬ３は、発振信号に基づいて、ＡＤＣ５やデジタル回路に供給される基準信号をそれぞれ生成する。ただし、ＰＬＬ２，３が生成するこれら基準信号の周波数は、必ずしも基地局側の基準信号の周波数と厳密に一致しているわけではない。発振器１およびＰＬＬ２，３は基準信号生成部を構成する。
【００１２】
周波数変換部４は、アンテナ１０で受信されるＲＦ信号と、ＰＬＬ２から供給される基準信号とを混合し、中間周波数帯のベースバンド信号を生成する。より具体的には、周波数変換部４は、互いに位相が９０度異なる２つの基準信号を用い、Ｉ信号Ｉ０およびＱ信号Ｑ０から構成されるアナログベースバンド信号（アナログ受信信号）を生成する。このアナログベースバンド信号は、例えばＢＰＳＫ（Binary Phase Shift Keying）あるいはＱＰＳＫ（Quadrature Phase Shift Keying）変調された信号である。
【００１３】
ＡＤＣ５は、アナログベースバンド信号を、ＰＬＬ３から供給される基準信号の周波数でサンプリングして、デジタル信号であるＩ信号Ｉ１およびＱ信号Ｑ１から構成されるデジタルベースバンド信号（第１のデジタル受信信号）に変換する。ここで、ＡＤＣ５は、アナログベースバンド信号の周波数より高い周波数で、オーバーサンプリングする。
【００１４】
周波数誤差検出部６は、デジタルベースバンド信号と既知信号とを比較し、デジタルベースバンド信号の周波数（すなわちＡＤＣ５のサンプリング周波数）と、基地局側の基準周波数に対応する所定の基準周波数との周波数誤差を検出する。位相回転部７は、周波数誤差に基づいてデジタルベースバンド信号の位相を回転させ、周波数誤差が小さくなるようデジタルベースバンド信号を補正し、Ｉ信号Ｉ２およびＱ信号Ｑ２から構成されるデジタルベースバンド信号（第２のデジタル受信信号）を生成する。周波数誤差検出部６および位相回転部７は、自動周波数制御器（Auto Frequency Controller）を構成する。
【００１５】
ＤＬＬ８は、ＡＤＣ５によりオーバーサンプリングされたサンプリング点のうち、適切なサンプリング点を選択する。本実施形態の特徴の１つはＤＬＬ８の内部構成にあり、後に詳しく説明する。
【００１６】
復調部９は選択されたサンプリング点を用いて復調処理を行う。
【００１７】
以下、受信装置の各部について、より詳しく説明する。
【００１８】
図２は、図１のＡＤＣ５の動作を説明する図である。同図（ａ）は、基地局側の基準周波数と、受信装置側の基準周波数とが一致している場合の図であり、同図（ｂ）は、両周波数がわずかにずれている場合の図である。実線は、周波数変換部４から出力される、アナログ信号であるＩ信号Ｉ０を示している。そして、４種類（Ａ〜Ｄ）の丸印はＡＤＣ５のサンプリング点を示している。すなわち、図２（および以下の説明）では、ＡＤＣ５がＩ信号Ｉ０をその４倍の周波数でオーバーサンプリングする、言い換えると、ＡＤＣ５がＩ信号Ｉ０の１周期につき４種類の位相でサンプリングする例を示している。
【００１９】
仮に基地局側の基準周波数と受信装置側の基準周波数とが一致していれば、図２（ａ）に示すように、ＡＤＣ５は常にＩ信号Ｉ０の一定の位相をサンプリングする。図２（ａ）の場合、サンプリング点Ａの値が常に最大であるため、復調部９は常にサンプリング点Ａを用いて復調処理を行えばよい。
【００２０】
しかしながら、実際には、基地局側の基準周波数と受信装置側の基準周波数とがずれていることが多い。その場合、図２（ｂ）に示すように、各位相におけるサンプリング点Ａ〜Ｄは、時間の経過とともに、Ｉ信号Ｉ０の位相とずれていく。例えば、期間Ｔ１では、サンプリング点Ｂの値が最大であるので、復調部９はサンプリング点Ｂを用いて復調処理を行うのが望ましい。ところが、期間Ｔ２では、サンプリング点Ａの値が最大であるので、復調部９はサンプリング点Ａを用いて復調処理を行うのが望ましい。
【００２１】
このように、復調処理で用いるべきサンプリング点は時々刻々と変化する。そのため、以下の処理を行って、適切なサンプリング点を選択する。なお、図２では、Ｉ信号Ｉ０についてのみ説明したが、ＡＤＣ５はＱ信号Ｑ０についても同様の処理を行う。また、図２では整ったＩ信号Ｉ０を描いているが、実際には雑音の影響を受けて、Ｉ信号Ｉ０が乱れた波形となることもある。
【００２２】
図３は、図１の周波数誤差検出部６の動作を説明する図である。図３（ａ）に示すように、時刻ｔ１において、周波数誤差検出部６は、既知信号（known signal）の位相と、Ｉ信号Ｉ１（ｔ１）およびＱ信号Ｑ１（ｔ１）から構成されるデジタルベースバンド信号の位相との差を検出する。同図では、既知信号を基準として位相差はｐ１である。同様に、図２（ｂ）に示すように、時刻ｔ２において両信号の位相差を検出する。同図では、既知信号を基準として位相差はｐ２である。
【００２３】
なお、既知信号は基地局側において、送信すべき信号の変調等に用いられる基準信号に対応している。
【００２４】
そして、下記（１）式で表される単位時間当たりの位相差の変化量を（角）周波数誤差Δωとする。
Δω＝（ｐ２−ｐ１）／（ｔ２−ｔ１）  ・・・（１）
周波数誤差Δωの符号が正であれば、時間の経過とともに位相差が大きくなっており、デジタルベースバンド信号の周波数が基地局の基準周波数より高いことを意味する。一方、周波数誤差Δωの符号が負であれば、時間の経過とともに位相差が小さくなっており、デジタルベースバンド信号の周波数が基地局の基準周波数より低いことを意味する。
【００２５】
この周波数誤差Δωに基づいて、図１の位相回転部７は、デジタルベースバンド信号における各サンプリング点に対して、下記（２）式に示す変換処理を行う。ここで、ｔは、図２の時刻ｔ１を基準とする時間である。
【数１】
2013198057.tif 000003
この変換処理により、デジタルベースバンド信号の位相が図３の既知信号の位相に近づき、結果として、デジタルベースバンド信号の周波数が、基地局の基準周波数に近づく。
【００２６】
図４は、図１のＤＬＬ８の内部構成の一例を示す図である。ＤＬＬ８は、複数の累積部８１ａ〜８１ｄと、複数のバッファ８２ａ〜８２ｄと、比較部８３と、サンプリング点記憶部８４と、セレクタ８５とを有する。なお、同図はＩ信号Ｉ２を処理するモジュールのみを示しているが、Ｑ信号Ｑ２を処理する同様のモジュールが別途設けられている。
【００２７】
累積部はＡＤＣ５のサンプリング点に対応して設けられる。より具体的には、ＡＤＣ５が４種類の位相でサンプリングする場合（図２）、各サンプリング点Ａ〜Ｄに対応して、累積部８１ａ〜８１ｄが設けられる。そして、累積部８１ａ〜８１ｄは、Ｉ信号Ｉ２における各位相、すなわち、サンプリング点Ａ〜Ｄのそれぞれの絶対値を所定数累積（または平均）し、累積値Ａａ〜Ｄａを生成する。このようにして、サンプリング点Ａ〜Ｄの累積値Ａａ〜Ｄａがそれぞれ生成される。本実施形態では、以下に説明するように、累積時間を短くしても雑音の影響を抑制できる。
【００２８】
また、バッファ８２ａ〜８２ｄもＡＤＣ５のサンプリング点Ａ〜Ｄにそれぞれ対応して設けられる。後述するように、復調処理に用いるべきサンプリング点が過去にずれていくこともあるので、現在のみならず過去のサンプリング点Ａ〜Ｄの値をバッファ８２ａ〜８２ｄにそれぞれ蓄えておく。
【００２９】
サンプリング点記憶部８４は直前に復調処理に用いるべきサンプリング点（以下、オンタイム（on time）サンプリング点と呼ぶ）がサンプリング点Ａ〜Ｄのいずれであるかを記憶している。オンタイムサンプリング点、および、周波数誤差検出部６にて検出された周波数誤差Δωに基づいて、比較部８３は、次に復調処理に用いるサンプリング点を決定すべく、次のようにして、累積部８１ａ〜８１ｄにより累積された累積値Ａａ〜Ｄａのうちの２つを比較する。
【００３０】
周波数誤差Δωの符号が正である場合、すなわち、デジタルベースバンド信号の周波数が基地局の基準周波数より高い場合、復調処理に用いるべきサンプリング点は、オンタイムサンプリング点か、これより位相が遅れたサンプリング点（以下、レイト（late）サンプリング点と呼ぶ）である可能性があるが、オンタイムサンプリング点より位相が進んだサンプリング点（以下、アーリー（early）サンプリング点と呼ぶ）である可能性は低い。そこで、比較部８３は、オンタイムサンプリング点の累積値と、レイトサンプリング点の累積値とを比較する。例えばオンタイムサンプリング点がＢである場合、比較部８３は累積値ＢａとＡａとを比較する。また、オンタイムサンプリング点がＡである場合、比較部８３は累積値ＡａとＤａとを比較する。
【００３１】
一方、周波数誤差Δωの符号が負である場合、すなわち、デジタルベースバンド信号の周波数が基地局の基準周波数より低い場合、復調処理に用いるべきサンプリング点は、オンタイムサンプリング点か、アーリーサンプリング点である可能性があるが、レイトサンプリング点である可能性は低い。そこで、比較部８３は、オンタイムサンプリング点の累積値と、アーリーサンプリング点の累積値とを比較する。例えばオンタイムサンプリング点がＢである場合、比較部８３は累積値ＢａとＣａとを比較する。また、オンタイムサンプリング点がＡである場合、比較部８３は累積値ＡａとＢａとを比較する。
【００３２】
２つの累積値を比較した結果、比較部８３は、累積値が大きい方のサンプリング点を新たなオンタイムサンプリング点とし、この新たなオンタイムサンプリング点がサンプリング点Ａ〜Ｄのいずれであるかをサンプリング点記憶部８４に記憶する。
【００３３】
セレクタ８５には、バッファ８２ａ〜８２ｄに蓄えられたサンプリング点Ａ〜Ｄの値が入力される。そして、セレクタ８５は、これらサンプリング点Ａ〜Ｄの値のうち、サンプリング点記憶部８４に記憶された、累積値が大きいサンプリング点を選択して出力する。出力されたサンプリング点は復調部９に供給され、復調処理に用いられる
上述のように、本実施形態の比較部８３は、周波数誤差Δωの符号に応じて、４つの累積値Ａａ〜Ｄａのうち２つの累積値を比較する。そして、２つのうちのいずれかのサンプリング点を新たなオンタイムサンプリング点とする。仮に、周波数誤差Δωを考慮せずに、オンタイムサンプリング点、アーリーサンプリング点およびレイトサンプリング点の３つの累積値を比較すると、雑音の影響を大きく受けてしまう可能性がある。
【００３４】
例えば、図５に示すように、期間Ｔ１におけるオンタイムサンプリング点がサンプリング点Ｂであり、周波数誤差Δωの符号が正であれば、引き続く期間Ｔ２における復調に用いるべきオンタイムサンプリング点はＢまたはＡである。ところが、時刻ｔ１で、雑音の影響により偶然サンプリング点Ｃの絶対値が大きくなってしまうことがある。比較部８３が、オンタイムサンプリング点Ｂ、アーリーサンプリング点Ａおよびレイトサンプリング点Ｃの累積値Ａａ〜Ｃａを比較していると、累積値Ｃａの値が大きくなり、その結果、誤ってサンプリング点Ｃがオンタイムサンプリング点に設定されて復調処理に用いられることがある。本来の雑音がないとした場合のオンタイムサンプリング点がＡだとすると、２サンプル点分の大きなエラーが生じてしまう。このようなエラーを抑制するためには、より長い時間各サンプル点を累積せざるを得ない。
【００３５】
これに対し、本実施形態では、オンタイムサンプリング点がＢであり、周波数誤差Δωの符号が正であれば、比較部８３はオンタイムサンプリング点の累積値Ｂａおよびアーリーサンプリング点の累積値Ａａの２つを比較し、サンプリング点Ａ，Ｂのいずれかをオンタイムサンプリング点として復調処理に用いる。そのため、本来の雑音がないとした場合のオンタイムサンプリング点がＡであり、誤ってサンプリング点Ｂがオンタイムサンプリング点に設定されたとしても、１サンプル分のエラーでしかない。このように雑音の影響を受けたとしてもその影響は小さいので、累積する時間を短縮できる。
【００３６】
図６は、図１のＤＬＬ８の処理動作の一例を示すフローチャートである。ＤＬＬ８に入力されるＩ信号Ｉ２およびＱ信号Ｑ２のサンプリング点Ａ〜Ｄの値は、サンプリング点の位相に応じて、累積部８１ａ〜８１ｄのいずれかに入力されて累積される（ステップＳ１）とともに、バッファ８２ａ〜８２ｄのいずれかに蓄えられる（ステップＳ２）。
【００３７】
次いで、比較部８３は、サンプリング点記憶部８４に記憶されているオンタイムサンプリング点がサンプリング点Ａ〜Ｄのいずれであるかを取得する（ステップＳ３）。
【００３８】
周波数誤差Δωの符号が正である場合（ステップＳ４のＹＥＳ）、比較部８２は、オンタイムサンプリング点の累積値とレイトサンプリング点の累積値とを比較する（ステップＳ５ａ）。比較の結果、累積値が大きい方のサンプリング点がどのサンプリング点であるかを、サンプリング点記憶部８４に記憶する（ステップＳ６ａ）。より具体的には、オンタイムサンプリング点の累積値の方が大きければ、比較部８２はサンプリング点記憶部８４を更新しない。一方、レイトサンプリング点の累積値の方が大きければ、比較部８２は、レイトサンプリング点を新たなオンタイムサンプリング点として、サンプリング点記憶部８４を更新する。そして、セレクタ８５は、サンプリング点記憶部８４にオンタイムサンプリング点として記憶されたサンプリング点に対応するバッファに蓄えられたオンタイムサンプリング点を出力する。（ステップＳ７ａ）。
【００３９】
周波数誤差Δωの符号が負である場合（ステップＳ４のＮＯ）、比較部８２は、オンタイムサンプリング点の累積値とアーリーサンプリング点の累積値とを比較する（ステップＳ５ｂ）。比較の結果、累積値が大きい方のサンプリング点がどのサンプリング点であるかを、サンプリング点記憶部８４に記憶する（ステップＳ６ｂ）。より具体的には、オンタイムサンプリング点の累積値の方が大きければ、比較部８２はサンプリング点記憶部８４を更新しない。一方、アーリーサンプリング点の累積値の方が大きければ、比較部８２は、アーリーサンプリング点を新たなオンタイムサンプリング点として、サンプリング点記憶部８４を更新する。そして、セレクタ８５は、サンプリング点記憶部８４にオンタイムサンプリング点として記憶されたサンプリング点に対応するバッファに蓄えられたオンタイムサンプリング点を出力する。（ステップＳ７ｂ）。
【００４０】
以上のようにして出力されたオンタイムサンプリング点が復調処理に用いられる。そして、  新たなオンタイムサンプリング点は、引き続くデジタルベースバンド信号のサンプリング点Ａ〜Ｄのうちのいずれを復調部９に出力するか、を決定するために用いられる。
【００４１】
このように、本実施形態では、デジタルベースバンド信号の周波数が高いか低いかに応じて、オンタイムサンプリング点、および、レイトまたはアーリーサンプリング点のうちの一方を復調処理に用いる。そのため、雑音の影響を低減でき、結果として、累積する時間を短縮できる。
【００４２】
なお、図４では、４つの累積部８１ａ〜８１ｄおよびバッファ８２ａ〜８２ｄを設ける例を示しているが、周波数誤差Δωおよびオンタイムサンプリング点に応じて定まる２つ種類のサンプリング点を累積する２つの累積部および２種類のサンプリング点を蓄える２つのバッファを設けてもよい。
【００４３】
上述した実施形態で説明した受信装置の少なくとも一部は、ハードウェアで構成してもよいし、ソフトウェアで構成してもよい。ソフトウェアで構成する場合には、受信装置の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００４４】
また、受信装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１  発振器
２，３  ＰＬＬ
４  周波数変換部
５  ＡＤＣ
６  周波数誤差検出部
７  位相回転部
８  ＤＬＬ
９  復調部
８１ａ〜８１ｄ  累積部
８２ａ〜８２ｄ  バッファ
８３  比較部
８４  サンプリング点記憶部
８５  セレクタ
【図１】
2013198057.tif 000004
【図２】
2013198057.tif 000005
【図３】
2013198057.tif 000006
【図４】
2013198057.tif 000007
【図５】
2013198057.tif 000008
【図６】
2013198057.tif 000009